(57)【要約】      （修正有）【課題】ロール状のフィルムを所定幅に容易に切断することが可能なフィルム切断装置を提供する。【解決手段】カッタ部７は、フィルム取り出し口５の上部に配置される。この際、押し込み部２１の下端（係止部１５）が、係止部挿入穴１１に挿入される。押し込み部２１を下方に押し込むことで、押し込み部２１が下方に移動する。このため、刃が下方に移動し、カッタ部７から露出する。この状態で、固定部１３を前方（フィルムの引き出し方向）にスライドさせる。このようにすることで、固定部１３の先端が、溝に嵌りこむ。したがって、押し込み部２１の押し込み動作を終了しても、押し込み部材２１が下方に押し込まれた状態が維持される。次に、あらかじめ外部に引き出されていたフィルム１９を引き出す。刃は、フィルム１９のロール側に向けて配置されるため、カッタ部７を通過するフィルム１９は、刃によって所定の幅に切断される。【選択図】図１
0003185697.tif 000002
【実用新案登録請求の範囲】
【請求項１】
ロール状のフィルムを収容する本体部と、
前記本体部の一部に形成され、前記フィルムの一端を取り出すことが可能なフィルム取り出し口と、
前記フィルム取り出し口に着脱可能に取り付けられるカッタ部と、
を具備し、
前記カッタ部には、前記フィルムの引き出し方向に対向するように刃が設けられており、
前記フィルムを引き出す際に、前記刃によって、前記フィルムを所定幅に切断することが可能であることを特徴とするフィルム切断装置。
【請求項２】
前記カッタ部の内部には弾性部材が設けられ、
前記刃は、前記弾性部材によって、前記カッタ部の内部に引き戻された状態で保持され、
前記カッタ部を前記フィルム取り出し口に配置した状態で、前記カッタ部の押し込み部を押し込むことで、前記刃が前記カッタ部から突出し、
前記本体部に設けられた固定部を移動させることで、前記刃が突出した状態で、前記カッタ部が前記フィルム取り出し口に固定されることを特徴とする請求項１記載のフィルム切断装置。
【請求項３】
前記カッタ部の一方の側面には、前記刃の位置を示すマークが設けられ、
前記マークが設けられた面が、前記フィルムの引き出し方向側に向くように、前記カッタ部を前記フィルム取り出し口に配置することで、前記刃が、フィルムの引き出し方向に対向する向きとなることを特徴とする請求項１または請求項２に記載のフィルム切断装置。
【考案の詳細な説明】
【技術分野】
【０００１】
本考案は、フィルムを容易に切断することが可能なフィルム切断装置に関するものである。
【背景技術】
【０００２】
例えば、パラフィルム（登録商標）のように、所定の幅を有するロール状のフィルムから、使用する大きさのフィルムを切断するためには、ハサミやカッターなどを使用する必要がある。例えば、ビーカーを封止するためのフィルムと、試験管を封止するためのフィルムは、そのサイズが異なるため、使用者は、あらかじめフィルムを所定の大きさに切断する必要がある。
【０００３】
このようにロール状のフィルムから、所定の大きさのフィルムを切り出すために、例えば、容器本体内にラップフィルムロールを回転可能に収納し、上記容器本体の正面板の上縁に、スライドカッターユニットを着脱自在に装着してなる構造のラップフィルム収納ケースがある（特許文献１）。
【先行技術文献】
【特許文献】
【０００４】
【特許文献１】特開２００３−８１２７９号公報
【考案の開示】
【考案が解決しようとする課題】
【０００５】
特許文献１のスライドカッターユニットは、ガイド溝に沿ってスライド可能に設けた刃部を有し、刃部をスライドさせることで、フィルムを幅方向に切断するものである。したがって、ロール状のフィルムから、任意の長さのフィルムを引き出して切断することができる。
【０００６】
一方、前述したように、フィルムの用途に応じて、切断されるサイズは様々である。したがって、ロール状のフィルムの長さだけでなく、幅方向にも切断する必要がある場合がある。この場合には、特許文献１のスライドカッターユニットを用いても、例えばハサミで長さ方向にスリットを入れる必要がある。特に、小型の容器等の封止に使用することが多いと、ロール状のフィルムを幅方向に複数にスリットする必要がある。
【０００７】
しかし、このようにすると、切断幅が一定にならず、フィルムの無駄が多くなる恐れがある。また、引き出し方向と切断方向が一致し、フィルムを手前に引き出しながら切断を行う必要があるため、フィルムをまっすぐに切断することが困難である。しかし、最初から狭幅のロールを使用すると、１ロールから取り出すことができるフィルム枚数が減少し、コスト増やロール交換作業などの作業工数が大きくなる。また、複数幅のロールを準備する必要があるため、ロール置き場などの問題がある。
【０００８】
本考案は、このような問題に鑑みてなされたもので、ロール状のフィルムを所定幅に容易に切断することが可能なフィルム切断装置を提供することを目的とする。
【課題を解決するための手段】
【０００９】
前述した目的を達成するため、本考案は、ロール状のフィルムを収容する本体部と、前記本体部の一部に形成され、前記フィルムの一端を取り出すことが可能なフィルム取り出し口と、前記フィルム取り出し口に着脱可能に取り付けられるカッタ部と、を具備し、前記カッタ部には、前記フィルムの引き出し方向に対向するように刃が設けられており、前記フィルムを引き出す際に、前記刃によって、前記フィルムを所定幅に切断することが可能であることを特徴とするフィルム切断装置である。
【００１０】
前記カッタ部の内部には弾性部材が設けられ、前記刃は、前記弾性部材によって、前記カッタ部の内部に引き戻された状態で保持され、前記カッタ部を前記フィルム取り出し口に配置した状態で、前記カッタ部の押し込み部を押し込むことで、前記刃が前記カッタ部から突出し、前記本体部に設けられた固定部を移動させることで、前記刃が突出した状態で、前記カッタ部が前記フィルム取り出し口に固定されることが望ましい。
【００１１】
前記カッタ部の一方の側面には、前記刃の位置を示すマークが設けられ、前記マークが設けられた面が、前記フィルムの引き出し方向側に向くように、前記カッタ部を前記フィルム取り出し口に配置することで、前記刃が、フィルムの引き出し方向に対向する向きとなってもよい。
【００１２】
本考案によれば、フィルム取り出し口に固定されるカッタ部によって、フィルムを引き出すだけで所定の幅にフィルムを切断することができる。したがって、一定の幅で容易にフィルムの切断を行うことができる。
【００１３】
また、カッタ部の刃が、通常時はカッタ部の内部に収容される。このため、例えばカッタ部を取り外した際に、カッタ部を安全に取り扱うことができる。また、カッタ部をフィルム引き出し口に固定すると、刃が突出した状態で維持されるため、フィルムを確実に切断することができる。
【００１４】
また、カッタ部の前面にはマークが設けられるため、カッタ部の刃の向きを間違えることがない。また、刃の位置をマークで知ることができるため、切断幅を間違えることもない。
【考案の効果】
【００１５】
本考案によれば、ロール状のフィルムを所定幅に容易に切断することが可能なフィルム切断装置を提供することができる。
【図面の簡単な説明】
【００１６】
【図１】フィルム切断装置１を示す分解斜視図。
【図２】カッタ部７の断面図であり、（ａ）は刃２５がカッタ部７内部に収容された状態を示す図、（ｂ）は刃２５がカッタ部７から突出した状態を示す図。
【図３】フィルム切断装置１の平面図。
【図４】（ａ）はフィルム切断装置１の側面図、（ｂ）はフィルム切断装置１の断面図であって図３のＢ−Ｂ線断面図。
【図５】（ａ）はフィルム切断装置１の側面図、（ｂ）はフィルム切断装置１の断面図であって図３のＢ−Ｂ線断面図。
【図６】フィルム切断装置１の平面図。
【考案を実施するための形態】
【００１７】
以下、本考案の実施の形態を詳細に説明する。図１は、本考案の実施の形態にかかるフィルム切断装置１を示す分解斜視図である。フィルム切断装置１は、主に、本体部３、カッタ部７、蓋部１７等から構成される。
【００１８】
本体部３は、一方の面が開口した略箱状の形状であり、内部にロール状のフィルム１９を収容可能である。すなわち、本体部のサイズは、未使用状態のフィルム１９が収容可能なサイズである。本体部３の開口部の一方の縁部には、蓋部１７が設けられる。蓋部１７は、本体部３に対して開閉可能である。なお、蓋部１７を透明にすることで、内部に収容されるロールを視認することが可能となる。
【００１９】
本体部３の開口部近傍の一部には、フィルム取り出し口５が形成される。フィルム取り出し口５は、本体部３にフィルム１９を収容し、蓋部１７を閉じた状態で、フィルム１９の端部が引き出される部位である。フィルム取り出し口５の上面は、平坦に形成され、一部に穴９が設けられる。穴９は、後述する刃が挿入される部位である。また、フィルム取り出し口５の幅方向の両側部は、本体部３の両側面からはみ出すように形成される。本体部３の側面よりも外側に位置する部位の上面には、係止部挿入穴１１が設けられる。
【００２０】
フィルム取り出し口５には、カッタ部７が取り付けられる。カッタ部７は、本体部３（フィルム取り出し口５）に対して着脱可能である。
【００２１】
図２は、カッタ部７の断面図であり、図２（ａ）は刃２５がカッタ部７内部に収容された状態を示す図、図２（ｂ）は刃２５がカッタ部７から突出した状態を示す図である。カッタ部７内部には、カッタ部７の本体両側方から突出するように押し込み部２１が設けられる。押し込み部２１の下端には係止部１５が設けられる。係止部１５の内面側には溝２３が設けられる。係止部１５は、本体部３（図１）の係止部挿入穴１１に挿入され、本体部３とカッタ部７とを固定する部位である。カッタ部７と本体部３の固定状態については後述する。
【００２２】
押し込み部２１の下部には、弾性部材であるばね２９が設けられる。したがって、通常時（例えば、カッタ部７を本体部３から取り外した状態）では、押し込み部２１は、ばね２９によって上方に押し戻された状態である。また、押し込み部２１の下面には、所定の間隔で複数の刃２５が設けられる。カッタ部７の下面側であって、刃２５に対応する位置には、スリット２７が設けられる。前述したように、押し込み部２１は、通常時には上方に押し戻されているため、刃２５もカッタ部７の内部に収容される。したがって、刃２５がカッタ部７の外部の露出することがない。
【００２３】
図２（ｂ）に示すように、カッタ部７の押し込み部２１を、ばね２９に対抗して下方に押し込むと（図中矢印Ａ方向）、押し込み部２１が下方に移動する。したがって、刃２５が下方に移動し、刃２５がスリット２７から外部に突出する。また、同時に係止部１５が下方に移動する。なお、押し込み部２１の押し込みをやめると、ばね２９によって、再び押し込み部２１が上方に押し戻される。すなわち、刃２５および係止部１５が上方に移動する。なお、弾性部材であれば、ばね２９に代えて、他の部材を用いてもよい。
【００２４】
また、図１に示すように、カッタ部７の前面（フィルム１９の引き出し側の面）には、マーク３１が設けられる。マーク３１は、カッタ部７の向きを示すとともに、内部の刃２５の位置を示すものである。すなわち、刃２５の向き（切断する側）は、マーク３１が形成される側とは反対側となる。なお、本体部３の前面にも同様のマークを付してもよい。
【００２５】
次に、フィルム切断装置１の使用方法について説明する。図３は、カッタ部７を固定する前の状態の、フィルム切断装置１の平面図、図４（ａ）は側面図、図４（ｂ）は、図３のＢ−Ｂ線断面図である。蓋部１７を閉じることで、本体部３の内部への異物等の侵入を防止することができる。
【００２６】
カッタ部７は、フィルム取り出し口５の上部に配置される。この際、図４（ａ）に示すように、押し込み部２１の下端（係止部１５）が、係止部挿入穴１１に挿入される。この状態では、係止部１５の溝２３は、固定部１３よりも上方に位置する。また、図４（ｂ）に示すように、刃２５はカッタ部７の内部に収容され、外部に露出することがない。なお、カッタ部７とフィルム取り出し口５との間には、フィルム１９が通過可能な隙間が形成される。なお、両側のそれぞれの押し込み部２１の厚みや形状を互いに変え、対応する係止部挿入穴１１の大きさを、押し込み部２１の厚みや形状に応じて変えておくことで、カッタ部７の取り付け方向を間違えることがない。
【００２７】
図５（ａ）、図５（ｂ）は、図４（ａ）、図４（ｂ）に対応する図である。図５（ａ）に示すように、まず、押し込み部２１を下方に押し込む（図中矢印Ｃ方向）。このようにすることで、押し込み部２１が下方に移動する。このため、図５（ｂ）に示すように、刃２５が下方に移動し、刃２５がカッタ部７から露出する。この際、フィルム取り出し口５の刃２５に対応する位置には穴９が設けられるため、刃２５は穴９内に挿入される。
【００２８】
また、前述したように、押し込み部２１が下方に移動すると、それに伴い係止部１５が下方に移動する。すなわち、係止部挿入穴１１に対して、係止部１５がより深く挿入される。この際、係止部１５の溝２３が、固定部１３と略同高さとなるまで押し込み部２１が押し込まれる。
【００２９】
この状態で、次に、図５（ａ）に示すように、固定部１３を前方（フィルムの引き出し方向）にスライドさせる（図中矢印Ｄ方向）。このようにすることで、固定部１３の先端が、溝２３に嵌りこむ。したがって、押し込み部２１の押し込み動作を終了しても、押し込み部２１が下方に押し込まれた状態が維持される。したがって、カッタ部７が本体部３に対して固定される。なお、カッタ部７を取り外すためには、この逆の操作を行えばよい。
【００３０】
次に、図６に示すように、あらかじめ外部に引き出されていたフィルム１９の端部を引き出す（図中矢印Ｅ方向）。刃２５は、フィルム１９のロール側（すなわち、引き出し方向に対向する方向）に向けて配置されるため、カッタ部７を通過するフィルム１９は、刃２５によって所定の幅に切断される。すなわち、刃２５の幅に応じた幅に、フィルム１９を切断することができる。なお、幅方向の切断はハサミ等で行えばよい。
【００３１】
本実施形態によれば、フィルム１９を引き出すのみで、フィルム１９を所定の幅に切断することができる。したがって、例えば小さなフィルムを多く使用するような場合でも、幅広のロールを使用することができる。このため、コストを下げることができる。また、幅がほぼ一定であるため、切断ミスなどによって、幅が狭くなりすぎて無駄になったりすることがない。
【００３２】
また、カッタ部７は着脱可能であるため、ロールの交換作業や、刃２５の交換、位置変更などの作業性にも優れる。また、カッタ部７を取り外すと、刃２５がカッタ部７内に収容されるため、取扱い性が良い。また、カッタ部７が突出した状態でカッタ部７が本体部３に固定されるため、固定作業も容易である。
【００３３】
また、カッタ部７の前面にはマーク３１が設けられるため、刃２５の向きを間違えることがない。また、マーク３１によって、刃２５の位置を把握することができる。
【００３４】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【００３５】
たとえば、先述した実施例では、三つの刃２５が設けられ、フィルム１９を４分割する例を示したが、刃２５の数や配置は図示した例には限られない。また、カッタ部７と本体部３との固定方法や、カッタ部７の押し込み部２１のスライド構造などは図示した例には限られず、本発明と同様の効果を得ることが可能であれば、他の構造を採用してもよい。
【符号の説明】
【００３６】
１………フィルム切断装置
３………本体部
５………フィルム取り出し口
７………カッタ部
９………穴
１１………係止部挿入穴
１３………固定部
１５………係止部
１７………蓋部
１９………フィルム
２１………押し込み部
２３………溝
２５………刃
２７………スリット
２９………ばね
３１………マーク
【図１】
0003185697.tif 000003
【図２】
0003185697.tif 000004
【図３】
0003185697.tif 000005
【図４】
0003185697.tif 000006
【図５】
0003185697.tif 000007
【図６】
0003185697.tif 000008